(57)【特許請求の範囲】
【請求項１】
経年使用後の合成樹脂製建材を下記の工程により再生する合成樹脂製建材の再生塗装方法；
（１）合成樹脂製建材の再生すべき塗装面に研磨を行う研磨工程、
（２）研磨処理した塗装面からゴミ、塵埃、油脂汚れをシリコン除去材で除去する脱脂工程、
（３）脱脂処理した塗装面をエチルアルコール又はエチレングリコールのアルコールで洗浄する洗浄工程、
（４）洗浄処理した塗装面から水分の除去を行う水分除去工程、
（５）水分を除去した塗装面に再生塗装を行う塗装工程。
【請求項２】
前記水分除去工程は、エアガンにより行うことを特徴とする請求項１記載の合成樹脂製建材の再生塗装方法。
【発明の詳細な説明】
【技術分野】
【０００１】
本発明は、長期間の使用により変色、退色、劣化、細かい傷による汚れなどが生じた合成樹脂製建材を再利用できるように再生する合成樹脂製建材の再生塗装方法に関する。
【背景技術】
【０００２】
建築物に組み付けてある窓枠、ドア枠、網戸枠などの合成樹脂製建材は、１０年近い長期間を経ることにより、表面に変色や退色が生じるし、無数の細かい傷が形成されて汚くなるという問題がある。また、合成樹脂製建材の表面には、大気中の煤煙、煤や化学物質、水溶した油脂が付着して次第に汚れてくる。そして、細かい傷や、角隅、凹部に付着した塵埃は強固に付着していると共に、建屋に組付けた状態での除去作業では除去し難いために残留してしまうのが現状である。このため、従来の塗装方法による塗装で再生しようとしても、塗装面への塗着性が悪く、塗膜が短期間で剥離してしまうという問題がある。
【０００３】
汚れた建材を再生する方法しては、建材を建屋から取り外して分解した状態で洗浄するのが確実であるが、現住建屋では不可能であるし、コストが嵩むという問題がある。このため、建屋に組み付けた状態で建材を再生できることが望まれるが、経年使用した合成樹脂製建材の上述した汚れを除去する効果的な解決方法は未だ提案されていないし、再生利用するという考えも殆ど見られない。
【非特許文献１】「塗装  基礎のきそ」日刊工業新聞社発行
【発明の開示】
【発明が解決しようとする課題】
【０００４】
このため、従来は古く汚れた合成樹脂製建材は新しい建材と交換して廃棄しているのが現状であるが、建材の買い替えや交換工事に多額の費用が掛るという問題があるし、製品を再利用（リサイクル）して産業廃棄物を可能な限り削減するという現代の要請から、合成樹脂製建材を再生する方法が望まれている。
【０００５】
本発明は上述した従来技術の未解決の問題点に鑑み本発明者が鋭意研究した結果、これまでは素材を傷めることから合成樹脂材への使用は避けられているアルコールを使用する可能性を見出したもので、経年使用により変色、退色、汚れた合成樹脂製建材を建屋に組付けた状態のままでアルコールを用いることにより、容易に、しかも確実に再利用可能にする合成樹脂製建材の再生塗装方法を提供することを目的とする。
【課題を解決するための手段】
【０００６】
上述した課題を解決するために構成された請求項１に係る本発明の手段は、経年使用後の合成樹脂製建材を下記の工程により再生する合成樹脂製建材の再生塗装方法；（１）合成樹脂製建材の再生すべき塗装面に研磨を行う研磨工程、（２）研磨処理した塗装面からゴミ、塵埃、油脂汚れをシリコン除去材で除去する脱脂工程、（３）脱脂処理した塗装面をエチルアルコール又はエチレングリコールのアルコールで洗浄する洗浄工程、（４）洗浄処理した塗装面から水分の除去を行う水分除去工程、（５）水分を除去した塗装面に再生塗装を行う塗装工程からなる。
【０００７】
そして、前記水分除去工程は、エアガンにより行うことが望ましい。
【発明の効果】
【０００８】
本発明は上述の如く構成したから、下記の諸効果を奏する。
（１）従来廃棄処分されている合成樹脂製建材を、建屋に組み付けた状態のままで、容易な工程で再生して再利用することができるから、新しい建材と交換する費用や交換のための費用を節減できるし、産業廃棄物を削減することができる。
（２）洗浄工程では、使用するアルコールにエチルアルコール又はエチレングリコールを用いることにより、合成樹脂製建材への影響を少なくして汚れを確実に除去することができる。
（３）水分除去工程は、エアガンにより行うことにより建材表面の水分を確実に除去して乾燥状態にするから、塗装面に長期間にわたって剥離することのない塗膜を形成することができる。
【発明を実施するための最良の形態】
【０００９】
以下、本発明の実施の形態について詳述する。先ず、再生塗装する合成樹脂製建材は建屋に組付けた状態で、前工程として、その周囲の壁やガラスなどの非塗装面をテープなどで覆って養生を行う。しかる後、合成樹脂製建材の塗装面に下地処理のための研磨を行う。研磨は例えば＃６００〜８００の空研ぎ研磨紙を用いて行うことにより足付けをする。
【００１０】
次に、研磨工程により研磨処理した塗装面に脱脂工程を行う。脱脂工程はシリコン除去材などを用いて塗装面を拭い、付着しているゴミ、塵埃、煤、油脂汚れなどを除去する。
【００１１】
塗装面を脱脂処理したら、アルコールで洗浄する工程を行う。しかし、本実施の形態では洗浄に用いるアルコールに、合成樹脂製建材を可能な限り傷めないことを考慮してエチルアルコール、エチレングリコールを使用するのが好適である。しかし、シンナー、ベンジンは建材を傷めるので、この洗浄工程での使用には不適である。
【００１２】
このアルコールによる洗浄は、面状の塗装面に行うことは勿論であるが、特に建屋に組み付けた状態にあるために清掃作業が困難な窓枠などの角隅や凹部に付着している塵埃、煤などの汚れを除去するのに大きな効果があり、しかもこの角隅や凹部の汚れを除去することが再生塗装にとって不可欠な処理である。また、アルコールによる洗浄を行うことにより、塗装面の水分をアルコールの揮発で蒸発させて水分を除去することができる。
【００１３】
アルコール洗浄を終えたら、塗装面に付着しているアルコール及び大気中の水分や結露などの水分を速やかに除去する。水分除去には、エアガンを用いる。エアガンを用いることにより塗装面の水分を速やかに吹き飛ばし、塗装面を乾燥することができ、即効性、確実性及び効率の点で優れている。このようにして塗装前の工程が終了したら、塗装面に再生のための塗装を行う。先ず合成樹脂製建材への塗料の密着性を高めるために、下塗りとしてプラスチックプライマーをスプレーで１回塗布する。上塗りとして例えばポリウレタン塗料などの専用塗料をスプレーで２回塗布することより行う。
【００１４】
このようにして、本実施の形態によれば、アルコールによる洗浄処理によって平らな塗装面はもとより、角隅や凹部に固着している塵埃、煤などの汚れを略完全に除去して塗装に適切な下地を形成することができる。これにより、塗装面に塗膜を確実に塗着形成することができるので、塗膜が塗装面から短期間で剥離することがない再生した合成樹脂製建材として再利用することができる。
【００１５】
また、合成樹脂製品にアルコールを使用することは材質を痛めるということから、今までは避けられていた。しかし、アルコールのうちエチルアルコール、エチレングリコールは合成樹脂製品を痛めることも少なく、しかも塵埃、煤などの強固に付着している汚れを除去するのに好適であり、かつアルコール洗浄後に速やかに水分を除去する工程を組み合わせることによって、塗膜が長期間剥離することのない再生塗装方法を実現できたのであり、この塗装方法によって合成樹脂製建材を再生し、再利用を可能にした。